(57)【要約】【課題】双方向ドア機構を有する自動解除式折り戸を提供する。【解決手段】本発明の双方向ドア機構を有する自動解除式折り戸は、第一閉門装置（１１）と、第一閉門装置（１１）の一側に連接される第一扉（２）と、その一側が第一扉（２）に結合され、他の一側が第二扉（６）に結合される第二閉門装置（１３）と、を含み、第二扉（６）がドアインドアの構成であり、さらに複数の固定装置（３，３１，７）と少なくとも１つのヒンジ（４）とを含み、該折り戸が小さい回転半径を有し、折り畳み可能であり、そのドアインドアの構成が異なる方向へ開放可能である、【選択図】図１０
2018510276.tif 000002
【特許請求の範囲】
【請求項１】
第一閉門装置と、
トップ面と該トップ面から下方へ延伸する外縁とを含み、該トップ面に貫通孔が下方へ穿設され、該第一閉門装置の一側に連接される第一扉と、  該第一扉の一側に結合され、該トップ面に第一インチングスイッチが設けられ、該第一インチングスイッチに電気接続される第一固定装置と、  該第一扉の貫通孔に結合される固定栓と、  その一側に第二固定装置が対応的に結合される第二扉と、該第二扉の一側に結合される第三固定装置と、  その一側が該第一扉に結合され、他の一側が該第二扉に結合される、少なくとも１つの第一ヒンジと、その一側が該第一扉に結合され、他の一側が該第二扉に結合される第二閉門装置と、
を含むことを特徴とする双方向ドア機構を有する自動解除式折り戸。
【請求項２】
該固定栓がタッチ装置と、弾性ポール装置と、コントロールボタンと、を含み、該タッチ装置が中空内部を有し、該コントロールボタンが該第一扉の該外縁に設けられ、該弾性ポール装置が該貫通孔の内部に穿設され、該弾性ポール装置の一端が移動可能に該タッチ装置の該中空内部に穿設され、該タッチ装置がドアフレームと接触するように該貫通孔の上側に結合され、該弾性ポール装置を解除して該弾性ポール装置の一端を該貫通孔より突き出せ、あるいは反対に該コントロールボタンが引き抜かれて該弾性ポール装置を連動し、該弾性ポール装置の一端を隠すように該貫通孔の内部に引っ込めさせることを特徴とする請求項１に記載の双方向ドア機構を有する自動解除式折り戸。
【請求項３】
該第一固定装置が係止孔と、制御回路と、電源とを含み、該制御回路と、該電源と、該係止孔とが電気接続され、該第二固定装置が固定バックルであり、該固定バックルが、該係止孔に固定されるあるいは該係止孔から解除されるようにすることを特徴とする請求項１に記載の双方向ドア機構を有する自動解除式折り戸。
【請求項４】
該第三固定装置が電磁バックルであり、該第四固定装置が金属ユニットであり、該金属ユニットが、該電磁バックルを引き付ける又は解除するように該電磁バックルに対応する壁に結合されるようにすることを特徴とする請求項１に記載の双方向ドア機構を有する自動解除式折り戸。
【請求項５】
該折り戸がさらに第一ドアフレームと結合され、該第一閉門装置の他の一側が該第一ドアフレームに結合されることを特徴とする請求項１ないし請求項３のいずれか１項に記載の双方向ドア機構を有する自動解除式折り戸。
【請求項６】
さらに電気制御スイッチと、第四固定装置とを含み、該第四固定装置が、該第三固定装置の位置に対応するようにドアフレームの側面にある壁に結合され、該電気制御スイッチが該第四固定装置に電気接続され、該第四固定装置の該第三固定装置を解除する作動を指令することを特徴とする請求項５に記載の双方向ドア機構を有する自動解除式折り戸。
【請求項７】
該第一扉の外縁に設けられる該コントロールボタンの押し又は引き抜きで、該コントロールボタンが引き抜かれて該弾性ポール装置を該貫通孔の内に隠すように元の位置に引っ込められることを操作し、該第二扉が該第一扉の反転を連動し、該第二扉が該第一扉に連接され、折り畳まれて該第一ドアフレームの側面にある壁に収容され、該第三固定装置が該第四固定装置を引き付け、本発明の折り戸を収容することを特徴とする請求項５に記載の双方向ドア機構を有する自動解除式折り戸。
【請求項８】
該第一扉又は該第二扉が双方向ドア機構であることを特徴とする請求項７に記載の双方向ドア機構を有する自動解除式折り戸。
【請求項９】
該第二扉が第二ドアフレームと、第二ヒンジと、第三扉と、第三閉門装置とを含み、該第二ドアフレームが該第二扉の部分を刳ることで形成され、該第二ヒンジの一側が該第二ドアフレームに連接され、該第二ヒンジの他の一側が該第三扉に連接され、該第三閉門装置の一側が該第二ドアフレームの上側に連接され、該第三閉門装置の他の一側が該第三扉の上側に連接され、該第二扉が該第一ドアフレームに閉めて固定され、使用者が該第三扉より該第一ドアフレームの他の一側の方向へ開放し続けられることを特徴とする請求項８に記載の双方向ドア機構を有する自動解除式折り戸。
【請求項１０】
該第一閉門装置、該第二閉門装置、又は該第三閉門装置がクローザーであることを特徴とする請求項１又は８に記載の双方向ドア機構を有する自動解除式折り戸。
【発明の詳細な説明】
【技術分野】
【０００１】
本発明は、大きいサイズの広幅のホールドオープンドアに関し、特に特別に複数枚の扉に分かれた折り戸に関する。
【背景技術】
【０００２】
現代の建築物のドア枠が大体ノーマルオープン又はノーマルクローズの二種類に分かれ、前者が関連ロックと合わせてアクセスコントロールを維持し、後者が扉を９０度又は１８０度開放し、通電される電磁バックルで長時間で係止し、扉が長時間で壁面吸い込み効果を達成し、平日に人員が自在に進出し、緊急の時に電磁バックル解除され、扉がクローザーシステムにより跳ね返、防火、防煙の遮断処理を行うことを達成する。
【０００３】
各国の消防法規では、上記のノーマルオープンドアに対し、いずれも緊急の時に自動閉鎖機制の完成を確保すべきであることを強調している。しかしながら、各国の建築物安全の管理単位は、ノーマルオープンドア、特に通路に隣る大きいサイズの広幅のノーマルオープンドアを緊急閉鎖する際に、その回転半径、回転過程、及び扉の開放方向が、しばしば人員の往復動作に重複、障害、傷害すらをもたらすことを、益々発見した。
【先行技術文献】
【特許文献】
【０００４】
【特許文献１】特開2004-92173号公報
【発明の概要】
【発明が解決しようとする課題】
【０００５】
従来の技術における問題を克服するために、即ち大きいサイズの広幅のノーマループンドアの回転半径、回転過程、及び扉の開放方向が、有限の空間又は狭い通路に人員の往復動作に重複、障害、傷害すらをもたらし、大きいサイズの広幅のノーマルオープンドアの自動閉鎖機制の完成を確保すべきであり、本発明の目的は、双方向ドア機構を有する自動解除式折り戸を提供するものである。
【課題を解決するための手段】
【０００６】
該双方向ドア機構を有する自動解除式折り戸は、第一閉門装置と、トップ面と該トップ面から下方へ延伸する外縁とを含み、該トップ面に貫通孔が下方へ穿設され、該第一閉門装置の一側に連接される第一扉と、該第一扉の一側に結合され、該トップ面に第一インチングスイッチが設けられ、該第一インチングスイッチに電気接続される第一固定装置と、該第一扉の貫通孔に結合される固定栓と、その一側に第二固定装置３１が対応的に結合される第二扉と、該第二扉の一側に結合される第三固定装置と、その一側が該第一扉に結合され、他の一側が該第二扉に結合される、少なくとも１つの第一ヒンジと、その一側が該第一扉に結合され、他の一側が該第二扉に結合される第二閉門装置と、を含む。
【０００７】
該固定栓がタッチ装置と、弾性ポール装置と、コントロールボタンと、を含み、該タッチ装置が中空内部を有し、該コントロールボタンが該外縁に設けられ、該弾性ポール装置が該貫通孔の内部に穿設され、該弾性ポール装置の一端が移動可能に該タッチ装置の該中空内部に穿設され、該タッチ装置がドアフレームと接触するように該貫通孔の上側に結合され、該弾性ポール装置を解除して該弾性ポール装置の一端を該貫通孔より突き出せ、あるいは反対に該コントロールボタンが引き抜かれて該弾性ポール装置を連動し、該弾性ポール装置の他の一端を隠すように該貫通孔の内部に引っ込めさせる。
【０００８】
該折り戸がさらに第一ドアフレームと結合され、該第一扉が該第一閉門装置の一側に結合され、該第一閉門装置の他の一側が該第一ドアフレームに結合される。実施例において、該第一ドアフレームが上側の桁に第一固定孔を有する。
【０００９】
本発明は、さらに電気制御スイッチ（図に示せず）と、第四固定装置とを含み、該第四固定装置が、該第三固定装置の位置に対応するようにドアフレームの側面にある壁に結合され、該電気制御スイッチが該第四固定装置に電気接続される。該電気制御スイッチをタッチすることで、該第四固定装置が自動的に該第三固定装置を解除することを指令し、該第二扉及び該第一扉が解除されて該第一ドアフレームの下方に回転され、該貫通孔の上側にある該タッチ装置が該第一ドアフレームの該桁のタッチを受けて連動され、該弾性ポール装置を自動的に解除し、該弾性ポール装置の他の一端が該第一ドアフレームの上側の該桁にある該第一固定孔より突き出し、該第一扉を押し動かされないように固定し、同時に該インチングスイッチが該第一ドアフレームのタッチを受けて電気信号を該第一固定装置に発送し、それが該第二固定装置を解除させ、該第一閉門装置が該第一扉を基本軸として該第二扉を連動して１８０度に回動し、本発明の折り戸を完全に閉める。
【００１０】
使用者が本発明の折り戸を開放し、該コントロールボタンが引き抜かれて該弾性ポール装置を連動し、該弾性ポール装置の他の一端が該第一固定孔から離れて該貫通孔の内に引っ込められ、該第一扉と該第二扉が押し開かれて一側の壁面に収容される。
【００１１】
本発明の該第一扉又は該第二扉が双方向ドア機構であり、扉が任意に双方向開閉機能を具有する。
【００１２】
本発明の実施例において、該第二扉が双方向ドア機構であり、該第二扉が双方向ドア機構であり、第二ドアフレームと、第二ヒンジと、第三扉と、第三閉門装置とを含み、該第二ドアフレームが該第二扉の部分を刳ることで形成され、該第二ヒンジの一側が該第二ドアフレームに連接され、該第二ヒンジの他の一側が該第三扉に連接され、該第三閉門装置の一側が該第二ドアフレームの上側に連接され、該第三閉門装置の他の一側が該第三扉の上側に連接される。該第二扉が該第一ドアフレームに閉めて固定され、使用者が該第三扉より該第一ドアフレームの他の一側の方向へ開放し続けられる。
【００１３】
該第二扉が該第一ドアフレームに閉めて固定され、使用者が該第三扉より該第一ドアフレームの他の一側の方向へ開放し続けられることで、該第二扉が開放されない方向を克服し、反対に該第一ドアフレームの他の一側の空間に、使用者が該第二扉（該第三扉を含む）を該第三扉の反対方向へ開放することもでき、本発明の双方向ドア機構により、使用者が二つの方向から開放することができ、本発明がドアインドアの構成を利用し、大型ドアと同時に小型ドアを含む実体ドアを形成し、ドア枠が任意に双方向開閉され、弾性的に任意の方向にドアを押して避難する又はドアを閉鎖して防火する双方向ドア機能を達成することができる。
【００１４】
本発明の実施例において、該閉門装置が減衰機能を有し、該第一扉、該第二扉の閉鎖の回転速度を緩衝する。
【００１５】
本発明の実施例において、大きいサイズの広幅のノーマルオープンドアを複数枚の扉に分け、例えば、二枚の扉に分け、大きいサイズの広幅のノーマルオープンドアに対して小さい開放又は閉鎖の回転半径及び幅を形成し、且つ折り畳まれて並列に収容可能であり、多重の固定装置により区切ってバックルの解除を協同する原理で、扉の自動閉栓機制と合わせ、小さい半径の半幅で扉を回転させて位置づけ、順次に全幅自動解除を行って扉を展開させてドアフレームを閉鎖するドア枠になり、緊急時に安全遮断機能を完成する。
【００１６】
既存の大きいサイズの広幅のノーマルオープンドアに対して、本発明が緊急避難の時に、狭い通路又は空間に扉の回転角度が小さいため、人員の往復動作に重複、障害をもたらすことなく、傷も避けられ、大きいサイズの広幅のノーマルオープンドアの自動閉鎖機制の完成を確保できる。
【図面の簡単な説明】
【００１７】
【図１】本発明の折り戸の立体図である。
【図２】本発明の折り戸の第一扉と第二扉が折り畳まれる作動を示す図（１）である。
【図３】本発明の折り戸の第一扉と第二扉が折り畳まれる作動を示す図（２）である。
【図３Ａ】本発明の折り戸の固定栓のコントロールボタンを示す図である。
【図４】本発明の折り戸の第一扉と第二扉が折り畳まれて収容される状態を示す図である。
【図５】本発明の折り戸の閉門装置を示す図である。
【図６】本発明の折り戸の扉が折り畳まれて収容される状態を示し、第二扉が開放される状態を示す図（１）である。
【図７】本発明の折り戸の扉が折り畳まれて収容される状態を示し、第二扉が開放される状態を示す図（２）である。
【図８】本発明の折り戸が完全に閉鎖される状態を示す図である。
【図９】図８における折り戸の第三扉が開放される状態を示す図（１）である。
【図１０】図８における折り戸の第三扉が開放される状態を示す図（２）である。
【発明を実施するための形態】
【００１８】
図１〜図５に示すように、本発明の双方向ドア機構を有する自動解除式折り戸は、第一閉門装置１１と、トップ面２１と該トップ面２１から下方へ延伸する外縁２５とを含み、該トップ面２１に貫通孔２７が下方へ穿設され、該第一閉門装置１１の一側に連接される第一扉２と、該第一扉２の一側に結合され、該トップ面２１に第一インチングスイッチ３０が設けられ、該第一インチングスイッチ３０に電気接続される第一固定装置３と、該第一扉２の該貫通孔２７に結合される固定栓５と、その一側に第二固定装置３１が対応的に結合される第二扉６と、該第二扉６の一側に結合される第三固定装置７と、その一側が該第一扉２に結合され、他の一側が該第二扉６に結合される、少なくとも１つの第一ヒンジ４と、その一側が該第一扉２に結合され、他の一側が該第二扉６に結合される第二閉門装置１３と、を含む。
【００１９】
図３Ａ、図３を同時に参照し、本発明の実施例において、該固定栓５がタッチ装置５１と、弾性ポール装置５３と、コントロールボタン５５と、を含み、該タッチ装置５１が中空内部５１１を有し、該コントロールボタン５５が該外縁２５に設けられ、該弾性ポール装置５３が該貫通孔２７の内部に穿設され、該弾性ポール装置５３の一端が移動可能に該タッチ装置５１の該中空内部５１１に穿設され、該タッチ装置５１がドアフレームと接触するように該貫通孔２７の上側に結合され、該弾性ポール装置５３を解除して該弾性ポール装置５３の一端を該貫通孔２７より突き出せ、あるいは反対に該コントロールボタン５５が引き抜かれて該弾性ポール装置５３を連動し、該弾性ポール装置５３の他の一端を隠すように該貫通孔２７の内部に引っ込めさせる。
【００２０】
図６〜図８に示すように、本発明の実施例において、該折り戸がさらに第一ドアフレーム１０と結合され、該第一扉２が該第一閉門装置１１の一側に結合され、該第一閉門装置１１の他の一側が該第一ドアフレーム１０に結合される。実施例において、該第一ドアフレーム１０が上側の桁に第一固定孔１１１を有し、該第一閉門装置１１が該第一ドアフレーム１０の上側の桁に結合されるようにする。本発明は、さらに電気制御スイッチ（図に示せず）と、第四固定装置７１とを含み、該第四固定装置７１が、該第三固定装置７の位置に対応するようにドアフレームの側面にある壁に結合され、該電気制御スイッチが該第四固定装置７１に電気接続され、該第四固定装置４１の作動を指令し、該電気制御スイッチが本発明の折り戸又はドアフレーム又はドアフレームの外部にある壁に設置可能である。該電気制御スイッチをタッチすることで、該第四固定装置７１が自動的に該第三固定装置７を解除することを指令し、該第二扉６及び該第一扉２が解除されて該第一ドアフレーム１０の下方に回転され、該貫通孔２７の上側にある該タッチ装置５１が該第一ドアフレーム１０の該桁のタッチを受けて連動され、該弾性ポール装置５３を自動的に解除し、該弾性ポール装置５３の他の一端が該第一ドアフレーム１０の上側の該桁にある該第一固定孔１１１より突き出し、該第一扉２を押し動かされないように固定し、同時に該インチングスイッチ３０が該第一ドアフレーム１０のタッチを受けて電気信号を該第一固定装置３に発送し、それが該第二固定装置３１を解除させ、該第一閉門装置１１が該第一扉２を基本軸として該第二扉６を連動して１８０度に回動し、本発明の折り戸を完全に閉める。
【００２１】
本発明の該弾性ポール装置５３が弾性伸縮可能に該第一ドアフレーム１０の上側の該桁にある該第一固定孔１１１より突き出すように貫設され、該第一扉２を押し動かされないように固定し、使用者が本発明の折り戸を開放しようとする時に、該コントロールボタンが引き抜かれて該弾性ポール装置５３を連動し、該弾性ポール装置５３の他の一端が該第一固定孔から離れて該貫通孔の内に引っ込められ、該第一扉と該第二扉が押し開かれて一側の壁面に収容される。
【００２２】
本発明の実施例において、該第一閉門装置１１又は該第二閉門装置１３がクローザー（ｄｏｏｒ  ｃｌｏｓｅｒ）である。
【００２３】
上記の実施方式において、該第一閉門装置１１又は該第二閉門装置１３のクローザーの両側の組み合せ方式が、必要の動力方向によって扉又はドアフレームとの間に組み合わせられ、扉を押し動きて閉鎖し、小さい隙間を形成するようにクローザー（ｄｏｏｒ  ｃｌｏｓｅｒ）を該第一扉２とそれに結合されるドアフレームとの間に組み合わせられ、本発明の折り戸が完全に閉鎖される時に小さい戸の隙間を形成し、流体、煙霧の侵入を防止し、折り戸が優れた密閉性を有し、本実施例が該第一扉２と該第二扉６との間に該第二閉門装置１３（クローザー；ｄｏｏｒ  ｃｌｏｓｅｒ）と結合され、該第二扉６の閉鎖の回転速度を緩衝し、速度が過度速いため人員への傷害を回避する。
【００２４】
該第一固定装置３が、例えば、電磁バックルであり、該第三固定装置７が、例えば、金属であり、該電磁バックルを引き付けるようにする。
【００２５】
図３、図５、図７を参照し、本発明の実施例において、該第一固定装置３が係止孔３５と、制御回路（図に示せず）と、電源（図に示せず）とを含み、該制御回路及び該電源が該第一固定装置３に連接され、該制御回路と、該電源と、該係止孔とが電気接続され、該第二固定装置３１が固定バックルであり、該固定バックルが、該係止孔３５に固定されるあるいは該係止孔３５から解除されるようにし、該インチングスイッチ３０がドアフレームのタッチを受けて信号を制御回路に発送し、該電源を指令し、該係止孔３５が該固定バックルを解除することを駆動し、該第二閉門装置１３が該第二扉６を駆動し、該第一ドアフレーム１０に閉鎖する。
【００２６】
既存の大きいサイズの広幅のノーマルオープンドアに対して、本発明が緊急避難狭い通路又は空間に適用され、その扉の閉鎖過程に、扉の回転半径及び幅が小さいため、人員の往復動作に重複、障害をもたらすことなく、傷も避けられ、大きいサイズの広幅のノーマルオープンドアの自動閉鎖機制の完成を確保できる。
【００２７】
使用者が該第二扉６を開放する時に、その回転半径及び幅が小さいため、狭い通路又は空間に、人員の動作に障害をもたらすことなく、さらに、使用者が該第一扉２の外縁２５に設けられる該コントロールボタン５５の押し又は引き抜きなどの方式で、該コントロールボタン５５が引き抜かれて該弾性ポール装置５３を該貫通孔２２の内に隠すように元の位置に引っ込められることを操作し、該第二扉６が該第一扉２の１０８度反転を連動し、該第二扉６が第一ヒンジ４で該第一扉２に連接され、折り畳まれて該第一ドアフレーム１０の側面にある壁に収容され、該第三固定装置７が該第四固定装置７１を引き付け、本発明の折り戸を収容する。
【００２８】
本発明の該第一扉２又は該第二扉６が双方向ドア機構であり、扉が任意に双方向開閉機能を具有する。
【００２９】
図９及び図１０を参照し、本発明の実施例に係る双方向ドア機構を有する自動解除式折り戸において、該第二扉６が双方向ドア機構であり、第二ドアフレーム６１と、第二ヒンジ６３と、第三扉６５と、第三閉門装置６７とを含み、該第二ドアフレーム６１が該第二扉６の部分を刳ることで形成され、該第二ヒンジ６３の一側が該第二ドアフレーム６１に連接され、該第二ヒンジ６３の他の一側が該第三扉に連接され、該第三閉門装置６７の一側が該第二ドアフレーム６１の上側に連接され、該第三閉門装置６７の他の一側が該第三扉６５の上側に連接され、該第三閉門装置６７がクローザー（ｄｏｏｒ  ｃｌｏｓｅｒ）である。該第二扉６が該第一ドアフレーム１０に閉めて固定され、使用者が該第三扉６５より該第一ドアフレーム１０の他の一側の方向へ開放し続けられることで、該第二扉６が開放されない方向を克服し、反対に該第一ドアフレーム１０の他の一側の空間に、使用者が該第二扉６（該第三扉６５を含む）を該第三扉６５の反対方向へ開放することもでき（図６、図７を参照）、本発明の双方向ドア機構により、使用者が二つの方向から開放することができ、本発明がドアインドアの構成を利用し、大型ドアと同時に小型ドアを含む実体ドアを形成し、ドア枠が任意に双方向開閉され、弾性的に任意の方向にドアを押して避難する又はドアを閉鎖して防火する双方向ドア機能を達成することができる。
【００３０】
以上の実施例による本発明の詳細な説明は本発明の範囲を制限するものではない。本技術に熟知する者が、本発明の範囲内にて行う変更や調整を行っても、本発明の重要な意義は失われず、本発明の範囲に含まれる。
【符号の説明】
【００３１】
１０  第一ドアフレーム
１１  第一閉門装置
１３  第二閉門装置
２  第一扉
２１  トップ面
２５  外縁
２７  貫通孔
３  第一固定装置
３０  第一インチングスイッチ
３１  第二固定装置
４  ヒンジ
５  固定栓
５１  タッチ装置
５１１  中空内部
５３  弾性ポール装置
５５  コントロールボタン
６  第二扉
６１  第二ドアフレーム
６３  第二ヒンジ
６５  第三扉
６７  第三閉門装置
７  第三固定装置
７１  第四固定装置
【図１】
2018510276.tif 000003
【図２】
2018510276.tif 000004
【図３】
2018510276.tif 000005
【図３Ａ】
2018510276.tif 000006
【図４】
2018510276.tif 000007
【図５】
2018510276.tif 000008
【図６】
2018510276.tif 000009
【図７】
2018510276.tif 000010
【図８】
2018510276.tif 000011
【図９】
2018510276.tif 000012
【図１０】
2018510276.tif 000013
【国際調査報告】
2018510276.tif 000014
2018510276.tif 000015
2018510276.tif 000016
2018510276.tif 000017